【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
１又は２以上の機能性ユニット（２）を含むエネルギー装置（１）であって、それぞれの機能性ユニット（２）が、
−  １又は２以上の第１のセル電極（１２０）、並びに第１のセル水性液体（１１）及び第１のセル気体（１２）のための１又は２以上の第１のセル開口部（１１０）を含む、第１のセル（１００）、
−  １又は２以上の第２のセル電極（２２０）、並びに第２のセル水性液体（２１）及び第２のセル気体（２２）のための１又は２以上の第２のセル開口部（２１０）を含む、第２のセル（２００）、
−  セパレータ（３０）であって、前記第１のセル（１００）及び前記第２のセル（２００）が前記セパレータ（３０）を共有し、前記セパレータが、水酸化物イオン（ＯＨ−）、一価ナトリウム（Ｎａ＋）、一価リチウム（Ｌｉ＋）、及び一価カリウム（Ｋ＋）のうち少なくとも１又は２以上の透過性を有しながら、１つのセルから他のセルへのＯ２及びＨ２のうち１又は２以上の輸送を阻止するように構成されたセパレータ（３０）
を含み、
前記エネルギー装置（１）が、（ａ）少なくとも２又は３以上の第１のセル電極（１２０）及び（ｂ）少なくとも２又は３以上の第２のセル電極（２２０）のうち１又は２以上を含み、前記エネルギー装置（１）が、（ａ）２又は３以上の第１のセル電極（１２０）の間の１又は２以上の電位差、及び（ｂ）２又は３以上の第２のセル電極（２２０）の間の１又は２以上の電位差のうち１又は２以上を印加するように構成された電気要素（７）をさらに含む、前記エネルギー装置（１）。
【請求項２】
２又は３以上の第１のセル電極（１２０）を含む少なくとも１つの機能性ユニット（２）を含み、電気要素（７）が、１又は２以上の第１のセル電極（１２０）の第１のサブセット（１２１１）と１又は２以上の第１のセル電極（１２０）の第２のサブセット（１２１２）との間に電位差を印加するように構成され、前記第１のサブセット（１２１１）の前記第１のセル電極（１２０）が鉄ベースの電極を含み、前記第２のサブセット（１２１２）の前記第１のセル電極（１２０）が鉄ベースの電極又は水素ガス生成電極（１２１０）のいずれかを含む、請求項１に記載のエネルギー装置（１）。
【請求項３】
２又は３以上の第１のセル電極（１２０）及び１又は２以上の第２のセル電極（２２０）を含む少なくとも１つの機能性ユニット（２）を含む、請求項１又は２に記載のエネルギー装置（１）。
【請求項４】
少なくとも２つの機能性ユニット（２）を含み、第１の機能性ユニット（２）の第１の電極（１２０）と第２の機能性ユニットの第２の電極（２２０）がバイポーラプレート（４）によって互いに隔離され、前記バイポーラプレート（４）が導電性であり、前記バイポーラプレート（４）が互いに電気的に隔離されるように構成された少なくとも２つのバイポーラプレートセクション（１０４１、１０４２）を含み、１又は２以上の第１のセル電極（１２０）が第１のバイポーラプレートセクション（１０４１）と関連付けられており、１又は２以上の第１のセル電極（１２０）が第２のバイポーラプレートセクション（１０４２）と関連付けられており、１又は２以上の第２のセル電極（２２０）が前記第１のバイポーラプレートセクション（１０４１）と関連付けられており、１又は２以上の第２のセル電極（２２０）が前記第２のバイポーラプレートセクション（１０４２）と関連付けられている、請求項１〜３のいずれかに記載のエネルギー装置（１）。
【請求項５】
第１のセル（１００）、第２のセル（２００）、及び２若しくは３以上の第１のセル電極（１２０）を提供するさらなる第１の電極（１２０）又は２若しくは３以上の第２のセル電極（２２０）を提供するさらなる第２の電極（２２０）のいずれかを含むさらなるセルを含む、請求項１〜３のいずれかに記載のエネルギー装置（１）。
【請求項６】
１又は２以上の第２のセル電極（２２０）が、ニッケルベースの電極を含む、請求項１〜５のいずれかに記載のエネルギー装置（１）。
【請求項７】
電気要素（７）が可変電圧源を含み、少なくとも１つの機能性ユニット（２）が、
−  複数の第１のセル電極（１２０）、並びに第１のセル水性液体（１１）及び第１のセル気体（１２）のための１又は２以上の第１のセル開口部（１１０）を含む、第１のセル（１００）であって、前記複数の第１の電極（１２０）が鉄ベースの電極を含み、前記複数の第１のセル電極が前記第１のセル電極（１２０）の第１のサブセット（１２１１）及び前記第１のセル電極（１２０）の第２のサブセット（１２１２）を含む、第１のセル（１００）、
−  第２のセル電極（２２０）、並びに第２のセル水性液体（２１）及び第２のセル気体（２２）のための１又は２以上の第２のセル開口部（２１０）を含む、第２のセル（２００）、
−  セパレータ（３０）であって、前記第１のセル（１００）及び前記第２のセル（２００）が前記セパレータ（３０）を共有し、前記セパレータが、水酸化物イオン（ＯＨ−）、一価ナトリウム（Ｎａ＋）、一価リチウム（Ｌｉ＋）、及び一価カリウム（Ｋ＋）のうち少なくとも１又は２以上の透過性を有しながら、１つのセルから他のセルへのＯ２及びＨ２のうち１又は２以上の輸送を阻止するように構成されたセパレータ（３０）、
−  前記第１のセル電極（１２０）の前記第１のサブセット（１２１１）と電気的に接続された第１の電気接続（１２５１）、前記第１のセル電極（１２０）の前記第２のサブセット（１２１２）と電気的に接続された第２の電気接続（１２５２）、及び前記第２のセル電極（２２０）と電気的に接続された第３の電気接続（５２）、並びに
−  電気要素（７）を含むコネクタ要素（１５１０）であって、前記第１のサブセット（１２１１）の前記第１の電極（１２０）と前記第２のサブセット（１２１２）の前記第１の電極（１２０）とが短絡する第１の設定と、（ａ）前記第２の電極（２２０）と前記第１のサブセット（１２１１）の前記第１の電極（１２０）との間、及び（ｂ）前記第２の電極（２２０）と前記第２のサブセット（１２１２）の前記第１の電極（１２０）との間に異なる電位差が存在することができ及び／又は異なる電流が流れることができる第２の設定との間で変更可能であるコネクタ要素（１５１０）
を含む、請求項１〜６のいずれかに記載のエネルギー装置（１）。
【請求項８】
第２の設定において、（ａ）第２の電極（２２０）と第１のサブセット（１２１１）の第１の電極（１２０）との間、及び（ｂ）前記第２の電極（２２０）と第２のサブセット（１２１２）の前記第１の電極（１２０）との間に電圧差及び／又は異なる電流を生成させるように構成されたエネルギー源をさらに含み、電気要素（７）が可変電圧源を含む、請求項１〜６のいずれかに記載のエネルギー装置（１）。
【請求項９】
第１の電極（１２０）が第１の容量を有し、第２の電極（２２０）が第２の容量を有し、前記第２の容量が前記第１の容量の９０％未満であり、好ましくは前記第２の電極（２２０）が第２の電極容量（Ａｈ２）を有し、複数の第１の電極（１２０）が、第１のサブセット（１２１１）の中の全ての第１の電極（１２０）の統合された第１のサブセット電極容量（Ａｈ１１）及び第２のサブセット（１２１２）の中の全ての第１の電極（１２０）の統合された第２のサブセット電極容量（Ａｈ１２）を有し、Ａｈ１１／Ａｈ２≧２であり、Ａｈ１１／Ａｈ１２≧１であり、Ａｈ１１＋Ａｈ１２＞Ａ２である、請求項７に記載のエネルギー装置（１）。
【請求項１０】
請求項１〜９のいずれかに記載のエネルギー装置（１）であって、以下の１又は２以上をさらに含む、前記エネルギー装置（１）。
−  第１のセル電極（１２０）と電気的に接続された第１の電気接続（５１）及び第２のセル電極（２２０）と電気的に接続された第２の電気接続（５２）；
−  機能性ユニット（２）への第１のセル水性液体（１１）及び第２のセル水性液体（２１）のうち１又は２以上の導入を制御するように構成された水性液体制御システム（６０）；
−  前記機能性ユニット（２）の外部の第１のセル気体（１２）及び第２のセル気体（２２）のうち１又は２以上を貯蔵するように構成された貯蔵システム（７０）；
−  （ａ）前記機能性ユニット（２）の中の前記第１のセル気体（１２）の圧力、（ｂ）前記貯蔵システム（７０）の中の前記第１のセル気体（１２）の圧力、（ｃ）前記機能性ユニット（２）の中の前記第２のセル気体（２２）の圧力、及び（ｄ）前記貯蔵システム（７０）の中の前記第２のセル気体（２２）の圧力のうち１又は２以上を制御するように構成された圧力システム（３００）；
【請求項１１】
−  第１のセル電極（１２０）と電気的に接続された第１の電気接続（５１）、及び第２のセル電極（２２０）と電気的に接続された第２の電気接続（５２）、
−  機能性ユニット（２）への第１のセル水性液体（１１）及び第２のセル水性液体（２１）のうち１又は２以上の導入を制御するように構成された水性液体制御システム（６０）、
−  前記機能性ユニット（２）の外部の第１のセル気体（１２）及び第２のセル気体（２２）のうち１又は２以上を貯蔵するように構成された貯蔵システム（７０）、
−  （ａ）前記機能性ユニット（２）の中の前記第１のセル気体（１２）の圧力、（ｂ）前記貯蔵システム（７０）の中の前記第１のセル気体（１２）の圧力、（ｃ）前記機能性ユニット（２）の中の前記第２のセル気体（２２）の圧力、及び（ｄ）前記貯蔵システム（７０）の中の前記第２のセル気体（２２）の圧力のうち１又は２以上を制御するように構成された圧力システム（３００）、
−  外部電力源からの電力を受容するように構成され、充電時間の少なくとも一部の間に前記第１のセル電極（１２０）と前記第２のセル電極（２２０）との間の１．３７ボルトを超える電位差で前記電力を前記機能性ユニット（２）に供給するように構成された充電制御ユニット（４００）、
−  電力供給を受ける受容器と電気接続（５１、５２）とを機能的に結合する第１のコネクタユニット（５１０）、並びに前記第１のセル気体（１２）及び前記第２のセル気体（２２）のうち１又は２以上が供給されるデバイスと前記貯蔵システム（７０）とを機能的に接続する第２のコネクタユニット（５２０）、並びに
−  前記水性液体制御システム（６０）、前記貯蔵システム（７０）、前記圧力システム（３００）、及び前記充電制御ユニット（４００）を制御するように構成された、制御システム（８０）
をさらに含む、請求項１〜８のいずれかに記載のエネルギー装置（１）。
【請求項１２】
請求項１〜１１のいずれかに記載のエネルギー装置（１）及び外部電力源（９１０）を含む、エネルギーシステム（５）。
【請求項１３】
請求項１〜１２のいずれかに記載のエネルギー装置（１）を用いて電気エネルギー並びに水素（Ｈ２）及び酸素（Ｏ２）のうち１又は２以上を貯蔵する方法であって、第１のセル水性液体（１１）、第２のセル水性液体（２１）、及び外部電力源（９１０）からの電力を機能性ユニット（２）に供給し、それによって充電された機能性ユニット（２）並びに貯蔵システム（７０）に貯蔵された水素（Ｈ２）及び酸素（Ｏ２）のうち１又は２以上を供給し、充電時間の少なくとも一部の間に第１のセル電極（１２０）と第２のセル電極（２２０）との間の１．３７ボルトを超える電位差で前記機能性ユニットを充電するステップを含む、前記方法。
【請求項１４】
充電時間の少なくとも一部の間、第１のセル電極（１２０）と第２のセル電極（２２０）との間の電位差を１．６〜２．０Ｖの範囲で選択し、第１のセル（１００）の第１の圧力及び第２のセル（２００）の第２の圧力を少なくとも３０バールの圧力に維持するステップをさらに含む、請求項１３に記載の方法。
【請求項１５】
（ａ）２又は３以上の第１のセル電極（１２０）の間の１又は２以上の電位差、及び（ｂ）２又は３以上の第２のセル電極（２２０）の間の１又は２以上の電位差のうち１又は２以上を印加することによって、エネルギー装置（１）を放電し、同時に水素（Ｈ２）を生成させるステップ；
第１のセル（１００）の中の少なくとも２つの第１のセル電極（１２０）の間に０．００１〜０．５Ｖの範囲から選択される電位差を印加するステップ；
好ましくは１又は２以上の第１のセル電極（１２０）の第１のサブセット（１２１１）と１又は２以上の第１のセル電極（１２０）の第２のサブセット（１２１２）との間に電位差を印加するステップを含み、
前記電位差が０．００１〜０．５Ｖの範囲から選択される、請求項１３又は１４に記載の方法。
【請求項１６】
電力、水素（Ｈ２）、及び酸素（Ｏ２）のうち１又は２以上を受容器に供給するための、好ましくは水素（Ｈ２）を生成させ、同時に電気エネルギーを供給し又は貯蔵するための、並びに好ましくはその推進エネルギーが水素源及び電力源のうち１又は２以上に由来するエンジンを含む電動車両に電力、水素（Ｈ２）のうち１又は２以上を供給するためであって、デバイス（９３０）が電力、水素、及び酸素のうち１又は２以上を利用するように構成された工業対象物（９４０）に含まれる、請求項１〜１１のいずれかに記載のエネルギー装置（１）又は請求項１２に記載のエネルギーシステム（５）の使用。